(57)【要約】【課題】  異なる複数種の排水設備を設計し、組み立てる作業は、各排水設備に深い溝をそれぞれ掘削する必要を生じさせ、多大な労力を要求する場合がある問題点を考慮し、下水設備と盲暗渠とを一体接続し、労力やコストを削減する装置を提供する。【解決手段】  本発明による盲暗渠を備える下水設備用の装置は、観測井戸装置を備える。観測井戸装置は、好ましくは、第一排水設備と盲排水設備との間に接続されることにより、盲暗渠の少なくとも一部を第一排水設備の下に配設することを可能にする。【選択図】図２
2019529758.tif 000002
【特許請求の範囲】
【請求項１】
第一排水設備と、盲排水設備と、の間に好ましくは接続される観測井戸装置（１０２）を備えることにより、盲暗渠の少なくとも一部を前記第一排水設備の下に配設可能とし、それにより前記第一排水設備と前記盲排水設備とが互いに別個の設備として動作することを可能とする、前記盲暗渠を備える下水設備用の装置（１００）であって、
前記観測井戸装置（１０２）は、不要な水や汚物が前記盲暗渠に流入することを防止するように構成された底部（１０４）を有する、装置（１００）において、
前記観測井戸装置は、前記底部（１０４）から突出し、前記盲暗渠の観測および清浄化に用いられる、管状部（１０６）をさらに有し、
前記管状部（１０６）の高さ位置は、前記第一排水設備において複数の導管に設けられたどの吐出口（１１４）よりも高くなるように選択される
ことを特徴とする、盲暗渠を備える下水設備用の装置（１００）。
【請求項２】
前記観測井戸装置（１０２）は、不要な水が前記盲暗渠に流入することを防止するように構成された、開放可能な蓋（１０８）のような閉塞手段を備える、請求項１に記載の装置（１００）。
【請求項３】
前記装置（１００）は、少なくとも前記底部（１０４）および前記管状部（１０６）の少なくとも一部を、前記第一排水設備の観測井戸の内側に配置することにより、前記第一排水設備の前記観測井戸に接続可能である、請求項１または２に記載の装置（１００）。
【請求項４】
前記装置（１００）は、前記第一排水設備用の観測井戸（１１２）であって、少なくとも前記底部（１０４）および前記管状部（１０６）の少なくとも一部がその内側に配置される、観測井戸（１１２）をさらに備える、請求項１または２に記載の装置（１００）。
【請求項５】
前記装置（１００）は、複数の導管用の前記第一排水設備の前記観測井戸に接続して設けられた、前記複数の導管用の単数または複数の吐出口（１１４）をさらに備える、請求項４に記載の装置（１００）。
【請求項６】
前記第一排水設備の前記観測井戸に接続された前記複数の吐出口（１１４）は、それぞれ異なる複数の高さ位置に設けられる、請求項５に記載の装置（１００）。
【請求項７】
前記装置（１００）は、盲排水設備に接続可能な盲暗渠用の観測井戸（１１６）をさらに備える、請求項１から６のいずれか一つに記載の装置（１００）。
【発明の詳細な説明】
【技術分野】
【０００１】
本発明は、一般的には、盲暗渠（French drain）を備える下水設備用の装置に関する。具体的には、本発明は、下水設備と盲暗渠とを接続する装置に関する。
【背景技術】
【０００２】
盲暗渠は、地下水が建造物の土台に浸透したり、それに損傷を与えたりすることを防ぐ目的で、家屋や庭園から水を排出する排水管として一般に用いられる。穴を掘削し、盲暗渠を配設する作業には、慎重を期す必要がある。なぜなら、排水管に不具合が生じて修繕することになると、それにかかる労力もコストも無視できない可能性があるからである。そこで、排水管の状態を調べ、かつ清浄に保つために、盲排水設備（French drain system）と接続して、観測井戸が複数、集中的に設けられる（assembled）。
【０００３】
地下水ばかりでなく、例えば雨水や雪解け水（以下、「雨水」と総称する）などもまた屋根や敷地内から排出しなければならない。しかし、雨水等をそのままのかたちで盲暗渠に排出することはできないので、それ専用の排水設備が必要になる。そのような排水設備は、典型的には、地面を掘り返して形成される。
【０００４】
当然ながら、建築構造内には、そのような盲暗渠や雨水管のみならず、例えば下水排水設備のような別の下水設備もまた適切に敷設しなければならない。下水設備については、建築構造内に二つの深い溝（trenches）を掘削するのが通例である。そのうち一方は盲暗渠に充てられ、他方は雨水管に充てられる。盲暗渠は、通常、雨水管よりも深い溝を必要とする。それらの深い溝は掘削後、砂利で埋められる。もちろん深い溝の掘削は労力を要する作業である。したがって、そのためには掘削機や、浚渫機、パワーシャベル等の適切な機械が必要になる場合がある。掘削には時間がかかり、コスト的にも相当高額になることもある。
【０００５】
加えて、それらの深い溝は、すべて敷地内からある程度のスペース内に形成しなければならない。したがって、それらの深い溝はどこにでも掘削できるわけではなく、設計時には、異なる複数種類の排水管を敷地内に設ける場所を、その他の排水管用の場所も考慮に入れつつ、検討しなければならない。したがって、最終的に採用される排水管の構造は最も単純なものにはならないことがあり、解決策は、利用可能なスペースに応じてその都度決定されることとなる。
【発明の概要】
【課題を解決するための手段】
【０００６】
本発明はこのような技術上の課題を解決するためになされたものであり、その目的とするところは、そのように異なる複数種類の排水管を適切な配置で配設する解決策を提供することにある。具体的には、本発明の目的は、盲暗渠と、雨水管のような別種の排水管と、を上下に重ねて配置することにより、そのような課題を解決する手段を提供することにある。
【０００７】
本発明のこのような目的は、本願の独立請求項に記載された特徴により達成される。
【０００８】
本発明による盲暗渠を備える下水設備用の装置は、請求項１に記載の各要素を備えることを特徴とする。
【０００９】
本発明のある実施の形態において、盲暗渠を備える下水設備用の装置は、観測井戸装置を備える。その観測井戸装置は、好ましくは、第一排水設備と、盲排水設備と、の間に接続されることにより、上記盲暗渠の少なくとも一部を上記第一排水設備の下に配設可能とする。
【００１０】
本発明による観測井戸装置を用いることにより、盲暗渠の一部または全部を別の排水管の下に配設することが可能になる。別の排水設備としては、例えば、雨水排水設備や、下水排水設備等が挙げられる。以下の説明では、本発明は、雨水排水設備を一例として用いるものとして説明されるが、本発明が雨水排水設備に限定されるものではないことは、当業者であれば理解可能であろう。
【００１１】
本発明によれば、複数の導管を地中に配設し、それらの導管それぞれの適切な部分同士が互いに上下に重なるように配置することが可能になる。また、上記雨水排水設備の観測井戸および盲排水設備の観測井戸と、上記観測井戸装置とを組み合わせることも可能である。組み合わせたとしても、上記観測井戸装置によれば、上記雨水排水設備と上記盲排水設備とを、互いに別個の設備として設置可能である。
【００１２】
ある実施の形態において、上記観測井戸装置は、不要な水の上記盲暗渠への流入を防止するように構成された、開放可能な蓋のような閉塞手段を備える。閉塞手段を用いることが好ましいのは、そうすることで、雨水や、その他の汚物が盲暗渠内に流入することを防止できるからである。
【００１３】
とはいっても、その蓋は開放可能なので、盲暗渠の観測・清浄化は依然可能である。
【００１４】
ある実施の形態において、上記観測井戸装置の少なくとも一部が上記第一排水設備の上記観測井戸の内側に配置されるように、上記装置は上記第一排水設備の観測井戸に接続可能である。この実施の形態によれば、上記観測井戸装置と、例えば観測井戸を備える市販の雨水排水設備とを接続することが可能になる。盲暗渠用の上記観測井戸装置は、その少なくとも一部が上記雨水管用の観測井戸の内側に設置されることにより、上記盲暗渠の観測・清浄化が上記雨水管用の観測井戸を通して実行可能とすることが好ましい。
【００１５】
別の実施の形態において、本発明による上記装置は、上記第一排水設備用の観測井戸であって、上記観測井戸装置の少なくとも一部がその内側に配置される、観測井戸をさらに備える。この実施の形態によれば、例えば盲排水設備および雨水排水設備の両者を用いて容易に配設可能な設備を製造することが可能になる。またさらに別の実施の形態において、上記装置は、盲排水設備に接続可能な盲暗渠用の観測井戸をさらに備える。これらの実施の形態を組み合わせることにより、盲暗渠用の導管と、例えば雨水管用の導管のような別の排水管用導管とに容易に配設可能な装置が提供可能となる。
【００１６】
ある実施の形態において、上記装置は、複数の導管用の上記第一排水設備の上記排水管用観測井戸に接続して設けられた、複数の吐出口をさらに備える。また別の実施の形態において、上記第一排水設備の上記観測井戸に接続された上記複数の吐出口は、それぞれ異なる複数の高さ位置に設けられる。この実施の形態によれば、より多数の吐出口を上記雨水管用の観測井戸に設けることが可能になる。
【００１７】
ある実施の形態において、上記第一排水設備の上記観測井戸内に設けられた上記観測井戸装置の高さは、上記複数または単数の吐出口に対して、最も高い位置にある吐出口の少なくとも中ほどになるように決められる。これにより、上記観測井戸装置の上端にある蓋を開放したときや、上記観測井戸装置を、閉塞手段の無い雨水管に接続して配置したときに、雨水のような不要な水が盲暗渠に流入することを防止できる。
【００１８】
また、さらに別の実施の形態において、上記装置は、盲排水設備に接続可能な盲暗渠用の観測井戸をさらに備える。
【００１９】
本発明の好ましい実施の形態のいくつかが、従属請求項に記載される。
【発明の効果】
【００２０】
本発明によれば、従来の技術による解決策では得られない顕著な効果が達成され得る。第一に、本発明によれば、時間の節減およびコストの削減が可能になる。その理由は、盲暗渠と雨水管とを組み立てることにより、少なくとも部分的には、上下に重ねた深い溝の機能を果たすことが可能になるからである。これにより、工程数の削減および使用材料の低減が達成可能である。
【００２１】
また、本発明によれば、各種排水管を組み立てるのに必要な空間を減らすことも可能である。これにより、下水設備の設計工程が容易化され、各種排水管の設計図が簡素化され得る。
【００２２】
さらに、本発明によれば、盲暗渠および雨水管の両方についてそれぞれ深い溝を掘削し、それらを埋める場合と比べて、組み立ての工程をより迅速に進めることも可能になり得る。両排水設備用の凍結防止設備を同一の深い溝に共に設けるように、深い溝を一本だけ形成することにより、労働時間およびコストの削減が達成され得る。
【００２３】
加えて、本発明による装置によれば、上記雨水管用の観測井戸を通して、上記盲暗渠の観測および清浄化を実行することも依然可能である。すなわち、二つの観測井戸を一つに結合することにより、敷地内空間の利用節減が容易になり得る。
【図面の簡単な説明】
【００２４】
【図１】図１は、本発明の一実施形態の側面を一部破断した斜視図である。
【図２】図２は、図１に示す本発明の一実施形態の分解図である。
【図３】図３は、図１に示す本発明の一実施形態の斜視図である。
【発明を実施するための形態】
【００２５】
本願明細書において、「下水道」という用語は、一般に用いられる観測井戸およびマンホール等を備える、雨水管、盲暗渠、および複数種の下水管を含む広い意味で用いられる。以下の説明では、本発明は、雨水排水設備と盲排水設備とを接続するために用いられるものとして説明されるが、本発明は、下水排水設備と盲排水設備とを接続するその他の排水設備にも適用可能である。
【００２６】
また、本願明細書において、「観測井戸」という用語は、メンテナンス可能な各種観測井戸、マンホール、浄化槽、およびその他の井戸を指すものとして広い意味で用いられる。
【００２７】
また本願明細書において、「ある個数の（a number of）」という表現は、１以上の正の整数（例えば、１、２、あるいは３）を指す。
【００２８】
さらに本願明細書において、不定冠詞「ａ」または「ａｎ」は、その冠詞が付けられた名詞の個数が一つであるかまたは、一つよりも多いことを表す。
【００２９】
以下、本発明を添付の図面を参照してより詳細に説明する。
【００３０】
図１には、本発明の一実施形態の側面を一部破断した斜視図が示される。本発明による盲暗渠を備える下水設備用の装置１００は、観測井戸装置１０２を備える。観測井戸装置１０２は、好ましくは、盲排水設備と、例えば雨水排水設備のような別の排水設備との間に接続されることにより、上記盲暗渠の少なくとも一部を上記別の排水設備の下に設置可能とする。
【００３１】
観測井戸装置１０２は、例えば雨水のような不要な水や汚物の上記盲暗渠への流入を防止するように閉塞された底部１０４と、底部１０４から突出する管状部１０６と、を備える。管状部１０６の上端は開放されている。これにより、この管状部１０６を通して盲暗渠内を観測し、清浄化することが可能になる。
【００３２】
観測井戸装置１０２の寸法および材料は、広い範囲内で選択可能である。観測井戸装置の直径は、好ましくは例えば約１００ｍｍ〜６００ｍｍの範囲内から選択され、一般に使用される導管に適合させるためには、例えば約２５０ｍｍ〜２８０ｍｍの範囲内であることがより好ましい。観測井戸装置の高さは、好ましくは例えば約１０ｍｍ〜２５０ｍｍの範囲内から選択され、より好ましくは例えば約１５ｍｍ〜２００ｍｍの範囲内から選択されるが、必要な場合には、管状部は全く高さを有さない底部と同じ高さ位置にあってもよい。換言すれば、管状部は必要な任意の高さを有するものでよい。観測井戸装置の直径および高さが必要に応じて容易に選択可能であることは、当業者の知るところであろう。
【００３３】
ある実施の形態では、管状部は、雨水管用の観察井戸１１２内において、非常に高い位置にまで突出するようにその高さが選択される結果、雨水が盲暗渠内に流入することは不可能になる。本実施の形態では、管状部１０６は、好適には、雨水管用の観察井戸１１２において複数の導管に設けられたどの吐出口１１４よりも高い位置に達する。
【００３４】
別の実施の形態において、観測井戸装置１０２は、例えば雨水のような不要な水の上記盲暗渠への流入を防止するように構成された、開放可能な蓋１０８のような閉塞手段を備える。蓋１０８、ならびに管状部の対応する上端部には、蓋１０８を容易に開閉可能とするように、ネジ山を切ってもよい。蓋１０８と接続して、適切な分離材（insulation）を設けてもよい。この実施の形態では、管状部１０６の高さは、蓋１０８を開放した際に雨水が雨水管から流入しないように、例えば最も高い位置にある吐出口の中間部よりも高い位置に選択される。
【００３５】
実施の形態によっては、観測井戸装置１０２は、雨水管、雨水管用の観測井戸、および／または盲暗渠用の観測井戸に接続されてもよい。ある実施の形態において、底部１０４は複数のスリーブ１１０を備える。これらのスリーブ１１０により観測井戸装置１０２を接続することが可能になる。
【００３６】
ある実施の形態において、本発明による装置は、雨水管用の観測井戸１１２をさらに備える。その実施の形態では、観測井戸装置１０２が雨水管用の観測井戸１１２の内部に配置されることにより、底部１０４および管状部１０６は雨水管用の観測井戸１１２の内部に位置することになる。雨水管用の観測井戸１１２は、上記複数のスリーブ１１０と一体に形成されるように配置されてもよいし、それらのスリーブ１１０に接続されるように配置されてもよい。
【００３７】
本発明による観測井戸装置１０２が雨水管用の観測井戸に接続される実施の形態において、観測井戸装置１０２は、少なくともその一部が雨水管用の観測井戸の内側に位置するように配置されるが、スリーブ１１０は雨水管用の観測井戸の外側に配置されてもよい。
【００３８】
ある実施の形態において、雨水管用の観測井戸１１２は、雨水導管用のある個数（単数または複数）の吐出口１１４を備える。吐出口の個数は可変であるが、好ましくは１個〜４個の範囲内から選択される。しかしこれには限定されず、より多数の吐出口を雨水管用の観測井戸１１２に形成してもよいし、吐出口の無い雨水管用の観測井戸１１２を形成してもよい。ある実施の形態では、雨水管用の観測井戸１１２の複数の吐出口は、それぞれ異なる複数の高さ位置に配置される。そのような実施の形態によれば、吐出口の個数を４個よりも多くすることは容易である。
【００３９】
ある実施の形態において、雨水管用の観測井戸１１２内部の観測井戸装置１０２の高さは、雨水管用の観測井戸１１２内部の観測井戸装置１０２の上端（すなわち管状部１０６の上端）が、最も高い位置にある吐出口の中間部よりも高い位置にあるように選択される。
【００４０】
ある実施の形態において、本発明による装置は、盲排水設備に接続可能な盲暗渠用の観測井戸１１６をさらに備える。
【００４１】
盲暗渠用の観測井戸１１６は、例えば上記複数のスリーブ１１０に接続されてもよいし、何らかの手段を用いて観測井戸装置１０２および／または雨水管用の観測井戸１１２に接続して配置されてもよい。
【００４２】
本発明の範囲は、添付の請求の範囲およびその等価物により決定される。本願明細書において明示的に開示された上記実施の形態は、単に例示目的で開示されているにすぎないこと、また、本願発明の範囲は、本発明を具体的に使用する個々の場合により適した、さらなる各種実施の形態、それら実施の形態の組み合わせ、ならびにそれらの等価物をも包含し得ることも、当業者には理解可能であろう。
【図１】
2019529758.tif 000003
【図２】
2019529758.tif 000004
【図３】
2019529758.tif 000005
【国際調査報告】
2019529758.tif 000006
2019529758.tif 000007